(57)【要約】【課題】特に二重効用吸収式冷凍機において、吸収液中に含まれる腐食抑制剤の析出を抑えることにより吸収液ポンプのポンプロックを防止する。【解決手段】蒸発器４からの冷媒液を冷媒液ポンプ１２により蒸発器４の冷媒液散布管４aに供給する管路R６における冷媒液ポンプ１２の下流側と、低温再生器２からの濃吸収液を濃吸収液ポンプ１０により低温熱交換器７を経て吸収器５に供給する管路における低温熱交換器７の下流側とを結ぶ冷媒液バイパス管路２０を設けると共に、冷媒液バイパス管路２０に開閉弁２1を設け、起動時に、蒸発器４からの冷媒液の一部を、冷媒液ポンプ１２により冷媒液バイパス管路２０を介して供給する。【選択図】      図４
2011252703.tif 000002
【特許請求の範囲】
【請求項１】
高温再生器、低温再生器、蒸発器、吸収器及び高温熱交換器、低温熱交換器が管路により接続され、前記低温再生器から低温熱交換器を経て吸収器へ濃吸収液を供給する管路の、低温熱交換器より上流側に濃吸収液ポンプが設けられ、当該濃吸収液ポンプから送られる濃吸収液の一部を、低温熱交換器を経た後に濃吸収液ポンプに戻すバイパス管路が設けられた吸収式冷凍機において、前記蒸発器からの冷媒液を冷媒液ポンプにより蒸発器の冷媒液散布管に供給する管路における冷媒液ポンプの下流側と、低温再生器からの濃吸収液を濃吸収液ポンプにより低温熱交換器を経て吸収器に供給する管路における低温熱交換器の下流側とを結ぶ冷媒液バイパス管路を設けると共に、当該冷媒液バイパス管路に開閉弁を設け、起動時に、前記蒸発器からの冷媒液の一部を、冷媒液ポンプにより冷媒液バイパス管路を介して供給することを特徴とする吸収式冷凍機。
【発明の詳細な説明】
【技術分野】
【０００１】
本発明は、吸収式冷凍機に係り、特に二重効用吸収式冷凍機において、吸収液中に含まれている腐食抑制剤の析出を抑えることにより吸収液ポンプのポンプロックを防ぐようにした吸収式冷凍機に関する。
【背景技術】
【０００２】
一般に、二重効用吸収式冷凍機は高温再生器、低温再生器、凝縮器、蒸発器、吸収器及び高温熱交換器、低温熱交換器が管路により接続されると共に、管路の要所に濃吸収液ポンプ、稀吸収液ポンプ、冷媒液ポンプ及び開閉弁等を設けることにより、吸収液系の循環管路と冷媒系の循環管路とが構成される。そして、蒸発器における冷媒液の蒸発潜熱によって負荷側から戻された冷温水を冷却して負荷側に供給することにより冷房又は冷凍作用を得るようにしている。又、冷房のみならず、管路の切り替えによって暖房も行えるように構成した吸収式冷凍機も従来知られている。吸収液としては、通常臭化リチウム水溶液が用いられ、冷媒としては水が用いられる。
【０００３】
従来の吸収式冷凍機においては、吸収式冷凍機が運転されている限り濃吸収液ポンプを運転し、低温再生器で冷媒を蒸発分離した濃吸収液を吸収器に供給するので、冷凍負荷が殆ど無い状態が継続して高温再生器における加熱を停止しても、低温再生器から吸収器に供給される濃吸収液は濃吸収液ポンプの熱によって加熱される。このため、濃吸収液が温度上昇して結晶化し、管路が詰まって濃吸収液の循環を妨げることがあった。
【０００４】
上記のように低負荷時における濃吸収液の結晶化を防ぐために、例えば高温再生器における稀吸収液の加熱が所定時間停止された時に、濃吸収液ポンプの運転を停止し、高温再生器の加熱再生を待って濃吸収液ポンプの運転を再開するようにした技術が特許文献１に開示されている。
【特許文献１】特開２０００−１７９９７６
【発明の開示】
【発明が解決しようとする課題】
【０００５】
吸収式冷凍機の吸収液として、前記のように臭化リチウム水溶液が用いられている場合には腐食性が高いため、吸収液中に腐食抑制剤（インヒビター）が混入されている。この腐食抑制剤は、例えばモリブデン酸リチウムを主成分としており、通常運転時においては吸収液中に溶けているが、運転状況に伴う吸収液の濃度や温度の変化によって吸収液中に一部析出することがある。吸収液中に腐食抑制剤が析出すると、管路を閉塞して吸収液の流通を悪化させるばかりか、吸収液を送り出す濃吸収液ポンプ内に堆積してポンプロックを生じる等の事態を招くことになる。
【０００６】
本発明は、吸収液中における腐食抑制剤の析出を抑えることで、濃吸収液ポンプのポンプロックを防ぐようにした吸収式冷凍機を提供することを目的とする。
【課題を解決するための手段】
【０００７】
上記の目的を達成するための手段として、請求項１の発明は、高温再生器、低温再生器、蒸発器、吸収器及び高温熱交換器、低温熱交換器が管路により接続され、前記低温再生器から低温熱交換器を経て吸収器へ濃吸収液を供給する管路の、低温熱交換器より上流側に濃吸収液ポンプが設けられ、当該濃吸収液ポンプから送られる濃吸収液の一部を、低温熱交換器を経た後に濃吸収液ポンプに戻すバイパス管路が設けられた吸収式冷凍機において、前記蒸発器からの冷媒液を冷媒液ポンプにより蒸発器の冷媒液散布管に供給する管路における冷媒液ポンプの下流側と、低温再生器からの濃吸収液を濃吸収液ポンプにより低温熱交換器を経て吸収器に供給する管路における低温熱交換器の下流側とを結ぶ冷媒液バイパス管路を設けると共に、当該冷媒液バイパス管路に開閉弁を設け、起動時に、前記蒸発器からの冷媒液の一部を、冷媒液ポンプにより冷媒液バイパス管路を介して供給することを特徴とする。
【発明の効果】
【０００８】
上記請求項１の発明によれば、二重効用吸収式冷凍機において、蒸発器からの冷媒液を冷媒液ポンプにより蒸発器の冷媒液散布管に供給する管路における冷媒液ポンプの下流側と、低温再生器からの濃吸収液を濃吸収液ポンプにより低温熱交換器を経て吸収器に供給する管路における低温熱交換器の下流側とを結ぶ冷媒液バイパス管路を設けると共に、当該冷媒液バイパス管路に開閉弁を設けたので、吸収式冷凍機の起動時に、開閉弁を開いて蒸発器からの冷媒液の一部を、冷媒液ポンプにより冷媒液バイパス管路を介して供給し、濃吸収液中に析出した腐食抑制剤の溶解を促進することで、濃吸収液ポンプのポンプロックを防ぐことができる。  
【発明を実施するための最良の形態】
【０００９】
以下、本発明に係る吸収式冷凍機の実施形態に付いて添付図面を参照しながら説明する。二重効用吸収式冷凍機は、例えば図１に示すように高温再生器１、低温再生器２、凝縮器３、蒸発器４、吸収器５、高温熱交換器６、低温熱交換器７等が管路により接続され、吸収液系の循環路及び冷媒系の循環路が構成されている。
【００１０】
高温再生器１においては、吸収器５から稀吸収液ポンプ８により管路Ｒ１を介して戻された稀吸収液が収容されており、この稀吸収液はバーナ９により加熱されて稀吸収液中の冷媒液が蒸気となって蒸発して分離される。これにより、稀吸収液は中濃吸収液となり、管路Ｒ２を介して低温再生器２に供給されるが、高温熱交換器６を通過する際に前記管路Ｒ１を流れる稀吸収液との間で熱交換することにより放熱して低温再生器２に収容される。一方、蒸発した冷媒蒸気は、管路Ｒ３を介して凝縮器３に供給されるが、低温再生器２内を通過する際に当該低温再生器２に収容された中濃吸収液との間で熱交換することにより放熱して気液混合液となり、その後液化して冷媒液となって凝縮器３の底部に収容される。
【００１１】
低温再生器２においては、前記高温再生器１から供給された中濃吸収液が、低温再生器２内を通過する冷媒蒸気によって加熱され、中濃吸収液中の冷媒液が蒸気となって蒸発して分離される。これにより、中濃吸収液は濃吸収液となり、濃吸収液ポンプ１０により管路Ｒ４を介して吸収器５に供給されるが、低温熱交換器７を通過する際に前記高温再生器１に向かって管路Ｒ１を流れる稀吸収液との間で熱交換することにより放熱して吸収器５の吸収液散布管５ａに供給される。一方、低温再生器２で蒸発した冷媒蒸気は仕切壁の上部を越えて凝縮器３側に流入する。
【００１２】
凝縮器３においては、上記低温再生器２から流入した冷媒蒸気が、凝縮器３内を通過する冷却水によって冷やされて液化し、凝縮器３の底部に溜まる。この冷却水は、吸収器５内を通過した後に凝縮器３内を通過する冷却水管路１１を通って供給される。
【００１３】
蒸発器４においては、上記凝縮器３の底部に溜まった冷媒液が管路Ｒ５により供給され、冷媒液ポンプ１２により管路Ｒ６を介して冷媒液散布管４ａに供給される。この冷媒液散布管４ａから散布された冷媒液は、蒸発器４内を通過する冷温水管路１３を流れる冷温水との間で熱交換することにより加熱されて蒸発する。この蒸発潜熱によって冷温水管路１３を流れる冷温水は冷やされて蒸発器４から冷凍機等の負荷（図示せず）側に供給される。負荷側からは温度が上昇した冷温水が蒸発器４に戻されて循環する。一方、蒸発器４で蒸発した冷媒蒸気は仕切りスリット部を通って吸収器５側に流入する。
【００１４】
吸収器５においては、前記吸収液散布管５ａから散布された濃吸収液が、前記冷却水管路１１を流れる冷却水により冷却され、この冷却された濃吸収液により冷媒蒸気が吸収される。濃吸収液の液温が低いと、冷媒蒸気吸収能力が向上する。そして、冷媒蒸気を吸収した濃吸収液は、稀吸収液となって吸収器５の底部に溜まる。当該吸収器５の底部に溜まった稀吸収液は、前記稀吸収液ポンプ８により管路Ｒ１を介して高温再生器１に戻されるが、途中で低温熱交換器７を通過する際に低温再生器２から吸収器５に向かって流れる中温濃吸収液との間で熱交換して加熱され、次いで高温熱交換器６を通過する際に高温再生器１から低温再生器２に向かって流れる高温濃吸収液との間で熱交換して再加熱された後に高温再生器１に戻される。
【００１５】
これにより、高温再生器１→（Ｒ２）→低温再生器２→（Ｒ４）→吸収器５→（Ｒ１）→高温再生器１へと循環する吸収液系の循環経路と、高温再生器１→（Ｒ３）→凝縮器３→（Ｒ５）→蒸発器４→（Ｒ６）→蒸発器４→吸収器５→（Ｒ１）→高温再生器１へと循環する冷媒系循環路とが構成されている。
【参考形態１】
【００１６】
図２は、本発明に係る吸収式冷凍機の参考形態を示す構成図である。本参考形態においては、前記吸収式冷凍機（図１）の構成を基にしており、その吸収式冷凍機と同じ構成部材は前記と同じ符号をつけて詳しい説明は省略する。
【００１７】
本参考形態では、前記濃吸収液ポンプ１０を制御装置１４により回転制御する構成を特徴とする。濃吸収液ポンプ１０は、制御装置１４によりインバータ制御されるモータを備えており、運転状況によって回転数が変化させられる。そして、制御装置１４には高温再生器１に設けられている温度計１５により検出された高温再生器１の内部温度が入力される。
【００１８】
吸収式冷凍機の運転負荷が低下すると、制御弁１６によって燃料供給弁１７及び燃焼空気供給弁１８が連動して開度が制御され、バーナ９に供給する燃料及び燃焼空気の供給量が減少され、又は供給が停止される。このバーナ９の低燃焼又は燃焼停止に伴って前記温度計１５による検出温度が低下し、この検出信号が制御装置１４に入力され、当該制御装置１４から指令信号が出力されて前記濃吸収液ポンプ１０を低回転にインバータ制御する。
【００１９】
濃吸収液ポンプ１０の回転数が低下すると、前記低温再生器２から管路Ｒ４を介して吸収器５に供給される濃吸収液の供給量が低下すると共に、濃吸収液の圧力損失が増加する。このため、管路Ｒ４において、低温熱交換器７を通過した後、濃吸収液ポンプ１０の上流側と、低温熱交換器７の下流側とを結ぶバイパス管路１９を通って、濃吸収液の一部が濃吸収液ポンプ１０に循環するのを抑えることができる。これにより、濃吸収液が低温熱交換器７を通過することにより放熱して、濃吸収液中に腐食防止剤が析出してもバイパス管路１９を介して濃吸収液ポンプ１０に流入するのを抑えることができる。
【００２０】
本実施形態によれば、運転負荷が低下し、低温再生器２からの濃吸収液の供給量が低下した場合に、濃吸収液ポンプ１０を低回転にインバータ制御することにより、当該濃吸収液ポンプ１０から送り出される濃吸収液の一部が、低温熱交換器７を経た後にバイパス管路１９を介して濃吸収液ポンプ１０に循環するのを阻止することで、濃吸収液ポンプ１０のポンプロックを防ぐことができる。
【００２１】
図３は、濃吸収液ポンプ１０のインバータ制御方法の一例を示すもので、高温再生器１の温度と濃吸収液ポンプ１０の周波数との関係を示すグラフである。高温再生器１の温度に基づいて濃吸収液ポンプ１０の周波数を決定することができる。
【実施形態１】
【００２２】
図４は、本発明に係る吸収式冷凍機の実施形態１を示す構成図である。本実施形態１においては、前記吸収式冷凍機（図１）の構成を基にしており、その吸収式冷凍機と同じ構成部材は前記と同じ符号を付けて詳しい説明は省略する。
【００２３】
本実施形態１では、前記蒸発器４からの冷媒液を冷媒液ポンプ１２により蒸発器４の冷媒液散布管４ａに供給する管路Ｒ６における冷媒液ポンプ１２の下流側と、低温再生器２からの濃吸収液を前記濃吸収液ポンプ１０により低温熱交換器７を経て吸収器５に供給する管路Ｒ４における低温熱交換器７の下流側とを結ぶ冷媒液バイパス管路２０を設けると共に、当該冷媒液バイパス管路２０に開閉弁２１を設けた構成を特徴とする。
【００２４】
吸収式冷凍機の起動時には、前記高温再生器１のバーナ９を点火して高温再生器１内に収容されている稀吸収液を加熱して冷媒液を蒸発させて分離し、稀吸収液を中濃吸収液として管路Ｒ２を介して低温再生器２に供給する。低温再生器２の底部に溜まっている濃吸収液の量が不足している場合には、濃吸収液ポンプ１０により吸収器５に供給される濃吸収液の供給量が減少する。この濃吸収液の供給量が減少すると、前記低温熱交換器７を通過することにより放熱して、液温降下が大きくなり濃吸収液中の腐食抑制剤が析出し易くなる。
【００２５】
このような時に、前記開閉弁２１を開いて冷媒液ポンプ１２により冷媒液の一部を、前記冷媒液バイパス管路２０を介して前記管路Ｒ４における低温熱交換器７の下流側に供給する。この冷媒液の供給によって、濃吸収液中に析出した腐食抑制剤及び濃吸収液に生じた結晶を溶かすことができる。これにより、濃吸収液中に析出した腐食抑制剤が前記バイパス管路１９を介して濃吸収液ポンプ１０に流入するのを抑えることで、濃吸収液ポンプ１０のポンプロックを防ぐことができる。
【００２６】
上記冷媒液バイパス管路２０を介して管路Ｒ４側への冷媒液の供給は、図示しないタイマ等により一定時間（５〜１０分間）に制御することが好ましい。例えば、起動５分後に濃吸収液ポンプ１０の運転が開始され、その５分間に冷媒液ポンプ１２により管路Ｒ４側に冷媒液を供給する。冷媒液の供給量が多すぎると、蒸発器４の底部に溜まっている冷媒液の減少が大きくなる。これにより、冷媒液ポンプ１２により管路Ｒ６を介して蒸発器４の冷媒液散布管４ａに供給する冷媒液量が不足し、前記冷温水を冷却する機能が低下するので注意する必要がある。尚、開閉弁２１は、図示しない制御装置により制御できるように電磁弁とすることが望ましい。
【参考形態２】
【００２７】
図５は、本発明に係る吸収式冷凍機の参考形態２を示す構成図である。本参考形態２においては、前記吸収式冷凍機（図１）の構成を基にしており、その吸収式冷凍機と同じ構成部材は前記と同じ符号を付けて詳しい説明は省略する。
【００２８】
本本参考形態２では、前記吸収器５からの稀吸収液を稀吸収液ポンプ８により低温熱交換器７、高温熱交換器６を経て高温再生器１に供給する管路Ｒ１における稀吸収液ポンプ８の下流側と、低温再生器２からの濃吸収液を濃吸収液ポンプ１０により低温熱交換器７を経て吸収器５に供給する管路Ｒ４における低温熱交換器７の下流側とを結ぶ稀吸収液バイパス管路２２を設けると共に、当該稀吸収液バイパス管路２２に開閉弁２３を設けた構成を特徴とする。
【００２９】
吸収式冷凍機の運転が低負荷時であって、前記濃吸収液ポンプ１０を介して低温再生器２から吸収器５に供給される濃吸収液の液量が少ないと、前記低温熱交換器７を通過することにより放熱して、濃吸収液中の腐食抑制剤が析出し易くなる。このような時に、前記開閉弁２３を開いて稀吸収液ポンプ８により高温再生器１に戻される稀吸収液の一部を、前記稀吸収液バイパス管路２２を介して前記管路Ｒ４における低温熱交換器７の下流側に供給する。この稀吸収液の供給によって、腐食抑制剤の析出及び濃吸収液に一部の結晶が発生しないように抑える。これにより、腐食抑制剤の析出、濃吸収液の結晶が発生する前に、濃吸収液を吸収器５へ送ることで濃吸収液ポンプ１０のポンプロックを防ぐことができる。尚、稀吸収液の温度を検出するための温度計２４を、管路Ｒ１における稀吸収液ポンプ８と分岐バイパス管路２２入口との間に設ける。
【００３０】
図６は、腐食抑制剤の析出及び濃吸収液の結晶が起こり易い温度範囲を示すグラフである。このグラフによると、腐食抑制剤の析出及び濃吸収液の結晶が起こり易い温度範囲は、高温再生器温度が１１０℃以下で、且つ稀吸収液温度が２５℃以下の範囲内（斜線領域）である。この温度範囲Ｓ内にある時に、稀吸収液の一部を濃吸収液側に供給することにより腐食抑制剤の析出及び濃吸収液の結晶を予防する。例えば稀吸収液の供給は、一定時間（目安として１分間）とし、その後６０分経過しても未だ斜線の範囲内を脱しない場合には、稀吸収液を再度１分間供給する。
【参考形態３】
【００３１】
図７は、本発明に係る吸収式冷凍機の参考形態３を示す構成図である。本参考形態３においては、前記吸収式冷凍機（図１）の構成を基にしており、その吸収式冷凍機と同じ構成部材は前記と同じ符号を付けて詳しい説明は省略する。
【００３２】
本参考形態３では、前記吸収器５からの稀吸収液を稀吸収液ポンプ８により低温熱交換器７、高温熱交換器６を経て高温再生器１に供給する管路Ｒ１における低温熱交換器７の上流側と、下流側とを結ぶ稀吸収液バイパス管路２５を設けると共に、当該吸収液バイパス管路２５に開閉弁２６を設けた構成を特徴とする。
【００３３】
吸収式冷凍機の運転が低負荷時であって、前記濃吸収液ポンプ１０を介して低温再生器２から吸収器５に供給される濃吸収液の液量が少ない場合に、前記開閉弁２６を開いて稀吸収液ポンプ８により高温再生器１に戻される稀吸収液の一部を、前記稀吸収液バイパス管路２５に流通させる。これにより、低温熱交換器７に流通する稀吸収液の液量を減少させ、当該低温熱交換器７を通過する濃吸収液の放熱による温度低下を緩和し、腐食抑制剤の析出及び濃吸収液の結晶を抑えることで、濃吸収液ポンプ１０のポンプロックを防ぐことができる。尚、この場合も開閉弁２６は電磁弁とすることが好ましい。又、前記管路Ｒ４に低温再生器温度計２７と、濃吸収液ポンプ１０の入口側温度計２８とを設ける。
【参考形態４】
【００３４】
図８は、本発明に係る吸収式冷凍機の参考形態４を示す構成図である。本参考形態４においては、前記吸収式冷凍機（図１）の構成を基にしており、その吸収式冷凍機と同じ構成部材は前記と同じ符号を付けて詳しい説明は省略する。
【００３５】
本参考形態４では、前記低温再生器２からの濃吸収液を濃吸収液ポンプ１０により低温熱交換器７を経て吸収器５に供給する管路Ｒ４における低温熱交換器７の下流側にトラップ２９を設け、当該トラップ２９は濃吸収液中に析出した腐食抑制剤を分離する機能を有する構成を特徴とする。
【００３６】
前記トラップ２９は、例えば図９に示すように上下方向に複数回屈曲した屈曲管路２９ａを備え、この屈曲管路２９ａの一方の端部の下部に入口２９ｂが設けられると共に、他方の端部の上部に出口２９ｃが設けられ、屈曲管路２９ａの中間部の下部には収容部２９ｄが設けられ、この収容部２９ｄの底部にプラグ２９ｅが着脱可能に取り付けられた構成である。トラップ２９は上記構成のものに限定されず、例えばＵ字形やＳ字形のもの、或は他の適宜形状のものでも良い。
【００３７】
前記低温再生器２から吸収器５に供給される濃吸収液が、低温熱交換器７を通過することにより放熱して腐食抑制剤が析出し、濃吸収液の一部が結晶となっても、これらは濃吸収液と共に前記トラップ２９の入口２９ｂに流入する。トラップ２９に流入した濃吸収液は、屈曲管路２９ａを流通して出口２９ｃから管路Ｒ４に流入し、前記吸収器５に向かって流れが、濃吸収液中に析出した腐食抑制剤及び濃吸収液の結晶は、前記収容部２９ｄに落下して出口２９ｃから管路Ｒ４に流入しない。これにより、析出した腐食抑制剤及び濃吸収液の結晶が、前記バイパス管路１９を介して濃吸収液ポンプ１０に流入するのを抑えることで、濃吸収液ポンプ１０のポンプロックを防ぐことができる。
【００３８】
前記トラップ２９の収容部２９ｄには、析出した腐食抑制剤及び濃吸収液の結晶が収容され、その収容量が徐々に増大するので、定期的なメンテナンス時に前記プラグ２９ｅを外して収容物を排出する。収容物の排出後はプラグ２９ｅを嵌めて元通りにする。
【産業上の利用可能性】
【００３９】
本発明は、特に二重効用吸収式冷凍機に適用することができ、吸収液中における腐食抑制剤の析出を抑えることで、吸収液ポンプのポンプロックを防止することができる。
【図面の簡単な説明】
【００４０】
【図１】二重効用吸収式冷凍機の一例を示す構成図である。
【図２】本発明に係る吸収式冷凍機の参考形態１を示す構成図である。
【図３】上記参考形態１の吸収液ポンプのインバータ制御方法の一例を示すもので、高温再生器温度と濃吸収液ポンプの周波数との関係を示すグラフである。
【図４】本発明に係る吸収式冷凍機の実施形態１を示す構成図である。
【図５】本発明に係る吸収式冷凍機の参考形態２を示す構成図である。
【図６】上記参考形態２の腐食抑制剤の析出及び濃吸収液の結晶が起こり易い温度範囲を示すグラフである。
【図７】本発明に係る吸収式冷凍機の参考形態３を示す構成図である。
【図８】本発明に係る吸収式冷凍機の参考形態４を示す構成図である。
【図９】上記参考形態４のトラップの一例を示す概略断面図である。
【符号の説明】
【００４１】
１  高温再生器
２  低温再生器
３  凝縮器
４  蒸発器
５  吸収器
６  高温熱交換器
７  低温熱交換器
８  稀吸収液ポンプ
９  バーナ
１０  濃吸収液ポンプ
１１  冷却水管路
１２  冷媒液ポンプ
１３  冷温水管路
１４  制御装置
１５  温度計
１６  制御弁
１７  燃料供給弁
１８  燃焼空気供給弁
１９  バイパス管路
２０  冷媒液バイパス管路
２１  開閉弁
２２  稀吸収液バイパス管路
２３  開閉弁
２４  温度計
２５  稀吸収液バイパス管路
２６  開閉弁
２７，２８  温度計
２９  トラップ
【図１】
2011252703.tif 000003
【図２】
2011252703.tif 000004
【図３】
2011252703.tif 000005
【図４】
2011252703.tif 000006
【図５】
2011252703.tif 000007
【図６】
2011252703.tif 000008
【図７】
2011252703.tif 000009
【図８】
2011252703.tif 000010
【図９】
2011252703.tif 000011